(57)【要約】【課題】修正装置本体の溝の中に玉掛けワイヤロープを通して装着し、テコ原理を用いることにより、作用点部でワイヤロープの変形部分を容易に修正することのできる玉掛けワイヤロープの形状修正装置および方法を得る。【解決手段】延長方向に沿ってコ字状の溝を有するとともに、一端を作用点部とし、かつ他端を力点部とするレバー形状の本体１と、本体１の溝の開口側に位置し、かつ本体１の作用点部に近接するように貫通形成された軸穴１ｄと、軸穴１ｄに着脱自在に挿入された連結軸１ｂと、を備えている。ワイヤロープ２の変形部分２ｄを、連結軸１ｂの内側の作用点部に位置するように本体１の溝内に装着して、力点部にかかる力により修正する。【選択図】図１
2008142757.tif 000002
【特許請求の範囲】
【請求項１】
延長方向に沿ってコ字状の溝を有するとともに、一端を作用点部とし、かつ他端を力点部とするレバー形状の本体と、
前記本体の溝の開口側に位置し、かつ前記本体の作用点部に近接するように貫通形成された軸穴と、
前記軸穴に着脱自在に挿入された連結軸と、を備え、
玉掛けワイヤロープの変形部分を、前記連結軸の内側の前記作用点部に位置するように前記本体の溝内に装着して、前記力点部にかかる力により修正するように構成されたことを特徴とする玉掛けワイヤロープの形状修正装置。
【請求項２】
前記本体は、一体的に連結された同一形状の２つ部分からなり、
前記本体の２つ部分は、
前記連結軸により係止された連結部材を介して相互に回転自在に連結され、
前記連結部材に対応したそれぞれの一端の位置を前記作用点部とし、
それぞれの他端の位置を力点部とし、
前記玉掛けワイヤロープは、前記本体の２つ部分のぞれぞれの溝内に装着されることを特徴とする請求項１に記載の玉掛けワイヤロープの形状修正装置。
【請求項３】
前記本体の溝の内壁に、前記溝の開口側に向かって対向間隔が大きくなるようにテーパ部を設け、前記溝の断面形状を実質的にＶ字形状としたことを特徴とする請求項１または請求項２に記載の玉掛けワイヤロープの形状修正装置。
【請求項４】
前記軸穴は、前記本体の延長方向に沿って複数個形成されたことを特徴とする請求項１から請求項３までのいずれか１項に記載の玉掛けワイヤロープの形状修正装置。
【請求項５】
請求項１または請求項３または請求項４に記載の玉掛けワイヤロープの形状修正装置を用いた修正方法であって、
前記玉掛けワイヤロープを前記本体の溝内に装着して、前記玉掛けワイヤロープの変形部分を前記作用点部に位置させるステップと、
前記力点部と、前記玉掛けワイヤロープの一部である保持部とに力をかけて前記変形部分を修正するステップと
を備えたことを特徴とする玉掛けワイヤロープの形状修正方法。
【請求項６】
請求項２から請求項４までのいずれか１項に記載の玉掛けワイヤロープの形状修正装置を用いた修正方法であって、
前記連結軸および前記連結部材を取り外して、前記玉掛けワイヤロープを前記本体の２つの部分のそれぞれの溝内に装着するステップと、
前記連結軸および前記連結部材を取り付けて、前記玉掛けワイヤロープの変形部分を前記作用点部に位置させるステップと、
前記本体の２つの部分のそれぞれの力点部に力をかけて前記変形部分を修正するステップと
を備えたことを特徴とする玉掛けワイヤロープの形状修正方法。
【発明の詳細な説明】
【技術分野】
【０００１】
この発明は、エレベータの主ロープ取替え工事で使用される玉掛けワイヤロープの形状修正装置および方法に関し、特に玉掛けワイヤロープの変形部分の形状修正を、片手または両手で容易に行うことのできる新規な技術に関するものである。
【背景技術】
【０００２】
一般に、エレベータの主ロープ取替え工事で使用される玉掛けワイヤロープは、使用時に張力（荷重）がかかって使用後に変形するが、変形した玉掛けワイヤロープは、保管しにくいうえ次回に使用する際に取り扱いが難しくなるので、修正する必要がある。したがって、従来から、ワイヤロープの変形を修正する際には、木ハンマやプラスチックハンマなどを用いて、変形部分に打撃を加えながら手直ししているのが一般的であった。
【０００３】
しかし、上記のように変形部分に打撃を加える作業は、経験を必要とし熟練者でなければ容易に修正することができないので、油圧シリンダを兼ね備えたワイヤロープの形状修正装置が提案されている（たとえば、特許文献１参照）。
【０００４】
特許文献１に記載の従来装置は、張力がかかった状態で形状修正を行うものである。しかしながら、玉掛けワイヤロープの場合には、荷重がかかっていない状態のみにおいて形状変形の確認が可能であることから、特許文献１に記載の従来装置であっても、張力がかかっていない状態で玉掛けワイヤロープの形状を修正することはできない。
【０００５】
【特許文献１】特開平５−１６９１７５号公報
【発明の開示】
【発明が解決しようとする課題】
【０００６】
従来の玉掛けワイヤロープの形状修正装置では、たとえば特許文献１に記載の技術を適用した場合、張力がかかっていない玉掛けワイヤロープを、保持作用部に保持して油圧シリンダで押圧部を進退動作させることはできないので、玉掛けワイヤロープの変形を確認して形状を修正することができないという課題があった。
特に、玉掛けワイヤロープの場合、変形部分が連続して生じる可能性が高いので、修正操作に多大な労力を有するという課題があった。
【０００７】
この発明は、上記のような課題を解決するためになされたものであり、修正装置本体の溝の中に玉掛けワイヤロープを通して装着し、テコ原理を用いることにより、先端部（作用点部）で玉掛けワイヤロープの変形部分を容易に修正することのできる玉掛けワイヤロープの形状修正装置および方法を得ることを目的とする。
【課題を解決するための手段】
【０００８】
この発明による玉掛けワイヤロープの形状修正装置は、延長方向に沿ってコ字状の溝を有するとともに、一端を作用点部とし、かつ他端を力点部とするレバー形状の本体と、本体の溝の開口側に位置し、かつ本体の作用点部に近接するように貫通形成された軸穴と、軸穴に着脱自在に挿入された連結軸と、を備え、玉掛けワイヤロープの変形部分を、連結軸の内側の作用点部に位置するように本体の溝内に装着して、力点部にかかる力により修正するように構成されたものである。
【０００９】
また、この発明による玉掛けワイヤロープの形状修正方法は、玉掛けワイヤロープを本体の溝内に装着して、玉掛けワイヤロープの変形部分を作用点部に位置させるステップと、力点部と、玉掛けワイヤロープの一部である保持部とに力をかけて変形部分を修正するステップとを備えたものである。
【発明の効果】
【００１０】
この発明によれば、修正装置本体の溝の中に玉掛けワイヤロープを通して装着し、テコ原理を用いることにより、玉掛けワイヤロープの変形部分を容易に修正することができる。
【発明を実施するための最良の形態】
【００１１】
実施の形態１．
図１はこの発明の実施の形態１に係る玉掛けワイヤロープの形状修正装置（以下、単に「修正装置」ともいう）の要部を示す斜視図である。また、図２および図３は図１の修正装置本体１をそれぞれ示す平面図および側面図である。図１および図２においては、修正装置本体１の中央部のみが示されており、図３においては、修正装置本体１の両端部が示されている。
【００１２】
図１〜図３において、修正装置本体１は、一端を作用点部として他端を力点部とする数１０ｃｍ程度の長さのレバー形状を有し、連結部材１ａを介して連結された同一形状（断面コ字状）の２つの部分からなる。修正装置本体１の２つの部分は、それぞれ、軸穴１ｄに挿入された連結軸１ｂを回転中心として連結部材１ａに枢着されており、連結部材１ａに対して回転自在に連結されている。
【００１３】
軸穴１ｄは、修正装置本体１の溝の開口側に位置するように貫通形成され、延長方向に沿って複数個配列されている。これにより、任意の軸穴１ｄに連結軸１ｂを挿入して組み立てることができ、連結部材１ａの有効長さを可変設定できるようになっている。また、連結部材１ａの軸穴を複数個形成してもよい。なお、ここでは、連結軸１ｂが２個ずつ形成された場合を示しているが、必要に応じて任意数だけ形成することができる。
【００１４】
また、図２に示すように、連結軸１ｂの一端には、抜け防止用の鍔部が形成され、他端には、着脱自在の抜け防止枠が装着されている。さらに、図３に示すように、修正装置本体１の両端部（力点部）には、作業員が操作し易いように、両手形状に倣う形状を有する握り部１ｃが形成されている。
【００１５】
図４は修正装置本体１の形状を拡大して示す断面図であり、修正装置本体１のコ字状溝に沿って玉掛けワイヤロープ（以下、単に「ワイヤロープ」ともいう）２ａが装着された状態を示している。図４において、修正装置本体１のコ字状内壁には、開口側に向かって対向間隔が大きくなるようにテーパ部１ｅが形成されている。
【００１６】
つまり、修正装置本体１は、内壁のテーパ部１ｅにより、実質的にＶ字形状の溝を構成しており、これにより、外径の大きいワイヤロープ２ａに限らず、外径の小さいワイヤロープ２ｂ（点線参照）であっても、適正に収納できるようになっている。
【００１７】
次に、図５および図６の側面図を参照しながら、図１〜図４に示したこの発明の実施の形態１に係る修正装置本体１を用いた修正動作について説明する。
図５および図６は、形状修正を必要とするワイヤロープ２を修正装置本体１内に装着する際の操作手順を順次的に示している。なお、図５および図６内のワイヤロープ２は、図４内のワイヤロープ２ａ、２ｂを総称している。
【００１８】
まず、図５において、着脱自在の抜け防止枠を取り外した後、軸穴１ｄから連結軸１ｂを抜いて連結部材１ａを取り外し、修正装置本体１の２部分を分割した状態で、修正装置本体１の溝内に、変形したワイヤロープ２を装着する。
【００１９】
このとき、ワイヤロープ２の変形部分２ｄが、修正装置本体１の端部（作用点部）、すなわち連結部材１ａの取り付け位置に対応するように、修正装置本体１の２部分にワイヤロープ２を装着する。続いて、図６において、連結部材１ａを装着して、連結軸１ｂを軸穴１ｄに挿入し、抜け防止枠を取り付けて、修正装置本体１を一体的に組み立てる。
【００２０】
以下、握り部１ｃをつかみ、修正装置本体１を破線矢印イ、ロの方向に回転操作することにより、ワイヤロープ２の変形部分２ｄを修正することができる。
このとき、変形したワイヤロープ２の変形部分２ｄをレバー形状の修正装置本体１で逆方向に折り曲げるように操作し、直線になるように修正する。たとえば、図６に示した例では、破線矢印ロの方向に力を加えることにより、ワイヤロープ２の変形部分２ｄを修正する。
【００２１】
また、変形部分２ｄの変形量が少ない場合には、連結部材１ａを組み立てない図５の状態で、片手でワイヤロープ２の一部をつかみ、他方の手で修正装置本体１を操作することにより、容易に修正することもできる。
【００２２】
また、ワイヤロープ２の変形部分２ｄが連続的に存在する場合には、変形部分２ｄを連結部材１ａの対応位置に移動させた後、同様に、破線矢印イ、ロのいずれか一方の所要方向に回転させて変形部分２ｄを修正する。これにより、変形部分２ｄの発生数によらず、ワイヤロープ２の変形部分２ｄを順次にかつ容易に修正することができる。
【００２３】
このように、この発明の実施の形態１に係る玉掛けワイヤロープの形状修正装置は、延長方向に沿ってコ字状の溝を有するとともに、一端を作用点部とし、かつ他端を力点部とするレバー形状の本体１と、本体１の溝の開口側に位置し、かつ本体の作用点部に近接するように貫通形成された軸穴１ｄと、軸穴１ｄに着脱自在に挿入された連結軸１ｂと、を備え、ワイヤロープ２の変形部分２ｄを、連結軸１ｂの内側の作用点部に位置するように本体１の溝内に装着して、握り部１ｃ（力点部）にかかる力により修正するように構成されている。
【００２４】
また、本体１は、一体的に連結された同一形状の２つ部分からなり、本体１の２つ部分は、連結軸１ｂにより係止された連結部材１ａを介して相互に回転自在に連結され、連結部材１ａに対応したそれぞれの一端の位置を作用点部とし、それぞれの他端の位置（握り部１ｃ）を力点部とし、ワイヤロープ２は、本体１の２つ部分のぞれぞれの溝内に装着される。
【００２５】
これにより、握り部１ｃに比較的小さい力を加える折り曲げ操作のみで、熟練者でなくても、容易に変形部分２ｄを修正することができる。
また、修正装置本体１の溝の中でワイヤロープ２を動かすことにより、修正状態を確認することができる。
【００２６】
また、本体１の溝の内壁に、溝の開口側に向かって対向間隔が大きくなるようにテーパ部１ｅを設け、溝の断面形状を実質的にＶ字形状としたので、外径の異なるワイヤロープ２ａ、２ｂであっても、溝内に装着して適合させることができ、また、ワイヤロープ２を保持し易くなる。
【００２７】
また、軸穴１ｄは、本体１の延長方向に沿って複数個形成されているので、連結軸１ｂを差し替えて挿入することにより、ワイヤロープ２の外径の違いに応じて、また、変形部分２ｄの形状や長さに応じて、連結部材１ａの実質的長さを最適に設定することができる。
【００２８】
また、この発明の実施の形態１に係る玉掛けワイヤロープの形状修正方法は、連結軸１ｂおよび連結部材１ａを取り外して、ワイヤロープ２を本体１の２つの部分のそれぞれの溝内に装着するステップと、連結軸１ｂおよび連結部材１ａを取り付けて、ワイヤロープ２の変形部分２ｄを作用点部（連結部材１ａの対応部）に位置させるステップと、本体１の２つの部分のそれぞれの力点部（握り部１ｃ）に力をかけて変形部分２ｄを修正するステップとを備えている。
【００２９】
これにより、ワイヤロープ２の形状修正を行う際に、ワイヤロープ２を修正装置本体１の溝の中に通すので、ワイヤロープ２を保持し易くすることができる。
【００３０】
実施の形態２．
なお、上記実施の形態１では、作業員が両手で修正装置本体１を操作する場合について説明したが、ワイヤロープ２の外径が小さ場合には、小さい力で修正可能なので、図７〜図９に示すように、２部分のうちの一方の修正装置本体１のみを用いて片手で操作してもよい。
【００３１】
以下、図７〜図９を参照しながら、この発明の実施の形態２に係る修正装置本体１を用いた修正動作について説明する。図７はこの発明の実施の形態２に係る修正装置本体１を示す斜視図、図８は図７の修正装置本体１にワイヤロープ２を装着した状態を示す平面図、図９は修正操作時の修正装置本体１およびワイヤロープ２の状態を示す側面図である。
【００３２】
まず、図７に示す修正装置本体１の溝の中に、図８のように、修正を必要とするワイヤロープ２を装着する。この場合、連結部材１ａは不要となる。また、ワイヤロープ２が比較的短い場合には、ワイヤロープ２の一端から装着可能なので、連結軸１ｂを取り外す必要がなく、装着したままでもよい。
【００３３】
続いて、図９のように、ワイヤロープ２の変形部分２ｄを修正装置本体１の端部（作用点部）に位置させて、修正装置本体１の握り部１ｃ（図３、図５参照）を片手でつかみ、ワイヤロープ２の露出側の保持部２ｃ（破線枠参照）を他方の片手で持ちながら、破線矢印イ、ロの方向に回転操作することにより、変形部分２ｄを修正する。
【００３４】
このように、この発明の実施の形態２に係る玉掛けワイヤロープの形状修正装置は、延長方向に沿ってコ字状の溝を有するとともに、一端を作用点部とし、かつ他端を力点部とするレバー形状の本体１と、本体１の溝の開口側に位置し、かつ本体の作用点部に近接するように貫通形成された軸穴１ｄと、軸穴１ｄに着脱自在に挿入された連結軸１ｂと、を備え、ワイヤロープ２の変形部分２ｄを、連結軸１ｂの内側の作用点部に位置するように本体１の溝内に装着して、握り部１ｃ（力点部）にかかる力により修正するように構成されている。
【００３５】
また、この発明の実施の形態２に係る玉掛けワイヤロープの形状修正装置は、ワイヤロープ２を本体１の溝内に装着して、ワイヤロープ２の変形部分２ｄを作用点部に位置させるステップと、力点部と、ワイヤロープ２の一部である保持部２ｃとに力をかけて変形部分２ｄを修正するステップとを備えている。
このように、レバー形状の片方の修正装置本体１のみを用いた場合も、前述と同様の作用効果を奏することができる。
【図面の簡単な説明】
【００３６】
【図１】この発明の実施の形態１に係る玉掛けワイヤロープの形状修正装置の要部を示す斜視図である。
【図２】図１の玉掛けワイヤロープの形状修正装置を示す平面図である。
【図３】図１の玉掛けワイヤロープの形状修正装置を示す側面図である。
【図４】図１の玉掛けワイヤロープの形状修正装置に玉掛けワイヤロープを装着した状態を拡大して示す断面図である。
【図５】図１の玉掛けワイヤロープの形状修正装置を用いた修正動作を説明するための側面図である。
【図６】図１の玉掛けワイヤロープの形状修正装置を用いた修正動作を説明するための側面図である。
【図７】この発明の実施の形態２に係る玉掛けワイヤロープの形状修正装置の要部を示す斜視図である。
【図８】図７の玉掛けワイヤロープの形状修正装置を示す平面図である。
【図９】図７の玉掛けワイヤロープの形状修正装置を用いた修正動作を説明するための側面図である。
【符号の説明】
【００３７】
１  修正装置本体（玉掛けワイヤロープの形状修正装置本体）、１ａ  連結部材、１ｂ  連結軸、１ｃ  握り部、１ｄ  軸穴、１ｅ  テーパ部、２、２ａ、２ｂ  ワイヤロープ（玉掛けワイヤロープ）、２ｃ  保持部、２ｄ  変形部分。
【図１】
2008142757.tif 000003
【図２】
2008142757.tif 000004
【図３】
2008142757.tif 000005
【図４】
2008142757.tif 000006
【図５】
2008142757.tif 000007
【図６】
2008142757.tif 000008
【図７】
2008142757.tif 000009
【図８】
2008142757.tif 000010
【図９】
2008142757.tif 000011